【手続補正書】
【提出日】平成27年3月2日(2015.3.2)
【手続補正１】
【補正対象書類名】特許請求の範囲
【補正対象項目名】全文
【補正方法】変更
【補正の内容】
【特許請求の範囲】
【請求項１】
記憶した画像データに基づいて画像を記録する記録装置が複数接続される制御装置であって、
複数接続される前記記録装置のうちの１つの前記記録装置である代表記録装置から、この代表記録装置に記憶された前記画像データを取得し、取得した前記画像データに基づいて、前記代表記録装置以外の他の前記記録装置に記憶された前記画像データを更新することにより、前記代表記録装置が記憶する前記画像データと、他の前記記録装置が記憶する前記画像データとの同一性を維持する画像データ更新部を備えることを特徴とする制御装置。
【請求項２】
前記画像データ更新部は、
前記代表記録装置から取得した前記画像データに基づいて、他の前記記録装置のそれぞれについて、他の前記記録装置に記憶された前記画像データと、前記代表記録装置に記憶された前記画像データとの差異を抽出し、抽出した差異がなくなるように、前記代表記録装置から取得した前記画像データに基づいて、他の前記記録装置に記憶された前記画像データを更新することを特徴とする請求項１に記載の制御装置。
【請求項３】
前記画像データ更新部は、
他の前記記録装置に記憶された前記画像データと、前記代表記録装置に記憶された前記画像データとの差異を抽出する場合において、他の前記記録装置に係る１の前記画像データと、前記代表記録装置に係る１の前記画像データとが同一のデータであるか否かを判別する場合、
前記代表記録装置に係る１の前記画像データに基づいて、所定の算出方法によりチェック用データを算出し、他の前記記録装置に対して、当該他の前記記録装置に係る１の前記画像データから前記所定の算出方法で算出されたチェック用データの送信を要求して、当該チェック用データを取得し、
前記代表記録装置に係る１の前記画像データのチェック用データと、他の前記記録装置に係る１の前記画像データのチェック用データとが同一か否かを判別することを特徴とする請求項２に記載の制御装置。
【請求項４】
記憶した画像データに基づいて画像を記録可能な記録装置が複数接続される制御装置の制御方法であって、
接続される前記記録装置のうちの１つの前記記録装置である代表記録装置から、この代表記録装置に記憶された前記画像データを取得し、取得した前記画像データに基づいて、前記代表記録装置以外の他の前記記録装置に記憶された前記画像データを更新することにより、前記代表記録装置が記憶する前記画像データと、他の前記記録装置が記憶する前記画像データとの同一性を維持することを特徴とする制御装置の制御方法。
【請求項５】
記憶した画像データに基づいて画像を記録可能な記録装置が複数接続される制御装置を制御する制御部により実行されるプログラムであって、
前記制御部を、
接続される前記記録装置のうちの１つの前記記録装置である代表記録装置から、この代表記録装置に記憶された前記画像データを取得し、取得した前記画像データに基づいて、前記代表記録装置以外の他の前記記録装置に記憶された前記画像データを更新することにより、前記代表記録装置が記憶する前記画像データと、他の前記記録装置が記憶する前記画像データとの同一性を維持する画像データ更新部として機能させることを特徴とするプログラム。
【手続補正２】
【補正対象書類名】明細書
【補正対象項目名】０００５
【補正方法】変更
【補正の内容】
【０００５】
上記目的を達成するために、本発明は、記憶した画像データに基づいて画像を記録する記録装置が複数接続される制御装置であって、複数接続される前記記録装置のうちの１つの前記記録装置である代表記録装置から、この代表記録装置に記憶された前記画像データを取得し、取得した前記画像データに基づいて、前記代表記録装置以外の他の前記記録装置に記憶された前記画像データを更新することにより、前記代表記録装置が記憶する前記画像データと、他の前記記録装置が記憶する前記画像データとの同一性を維持する画像データ更新部を備えることを特徴とする。
この構成によれば、制御装置は、代表記録装置から画像データを取得し、取得した画像データに基づいて、他の記録装置の画像データを、代表記録装置の画像データとの同一性が維持されるように更新する。このため、代表記録装置についてのみ、記憶された画像データを正しい状態とすれば、接続された他の記録装置について、自動で、記憶された画像データが、代表記録装置と同一性を有する正しい状態となる。つまり、記録装置の全てについてツールを利用して画像データの編集をするといった煩雑な作業を経ることなく、代表記録装置についてのみ画像データの編集を行うという簡易な作業により、各記録装置に記憶された画像データについて、その同一性を維持できる。
【手続補正３】
【補正対象書類名】明細書
【補正対象項目名】０００６
【補正方法】変更
【補正の内容】
【０００６】
また、本発明は、前記画像データ更新部は、前記代表記録装置から取得した前記画像データに基づいて、他の前記記録装置のそれぞれについて、他の前記記録装置に記憶された前記画像データと、前記代表記録装置に記憶された前記画像データとの差異を抽出し、抽出した差異がなくなるように、前記代表記録装置から取得した前記画像データに基づいて、他の前記記録装置に記憶された前記画像データを更新することを特徴とする。
ここで、制御装置が、代表記録装置から取得した画像データに基づいて、他の記録装置のそれぞれの画像データを上書き更新することにより、代表記録装置と、他の記録装置との間で画像データの同一性を維持するようにすることも考えられる。しかしながら、この場合、制御装置からから他の記録装置のそれぞれに対して、比較的サイズの大きい画像データが送信されることとなり、通信トラフィックの増大を招く可能性があり、また、既に記憶している画像データが、代表記録装置に記憶されている画像データと一致する場合等に不必要に画像データの更新が行われることとなり、処理効率がよくない。これを踏まえ、上記構成によれば、制御装置は、代表記録装置に記憶された画像データと、他の記録装置に記憶された画像データの差異に応じて、画像データを更新することにより、不必要な画像データの更新を抑制でき、これに伴って通信トラフィックの増大を抑制できる。
【手続補正４】
【補正対象書類名】明細書
【補正対象項目名】０００７
【補正方法】変更
【補正の内容】
【０００７】
また、本発明は、前記画像データ更新部は、他の前記記録装置に記憶された前記画像データと、前記代表記録装置に記憶された前記画像データとの差異を抽出する場合において、他の前記記録装置に係る１の前記画像データと、前記代表記録装置に係る１の前記画像データとが同一のデータであるか否かを判別する場合、前記代表記録装置に係る１の前記画像データに基づいて、所定の算出方法によりチェック用データを算出し、他の前記記録装置に対して、当該他の前記記録装置に係る１の前記画像データから前記所定の算出方法で算出されたチェック用データの送信を要求して、当該チェック用データを取得し、前記代表記録装置に係る１の前記画像データのチェック用データと、他の前記記録装置に係る１の前記画像データのチェック用データとが同一か否かを判別することを特徴とする。
ここで、チェック用データとは、画像データに基づいて所定のハッシュ関数により算出されるハッシュ値等の、画像データから算出される代表値であって、同一の画像データに基づいて算出したときに、必ず、同一の値となるようなデータのことである。
上記構成によれば、他の前記記録装置に係る１の画像データと、代表記録装置に係る１の画像データとが同一のデータであるか否かを判別する場合、他の記録装置から、制御装置に対して、画像データそのものではなく、画像データから算出されるチェック用データが送信される。このため、通信トラフィックの増大を抑制できると共に、画像データが同一か否かを判別する際に、画像データ同士の比較ではなく、チェック用データ同士の比較で済むため、処理に要する時間の短縮化も図ることができる。
【手続補正５】
【補正対象書類名】明細書
【補正対象項目名】０００８
【補正方法】変更
【補正の内容】
【０００８】
また、上記目的を達成するために、本発明は、記憶した画像データに基づいて画像を記録可能な記録装置が複数接続される制御装置の制御方法であって、接続される前記記録装置のうちの１つの前記記録装置である代表記録装置から、この代表記録装置に記憶された前記画像データを取得し、取得した前記画像データに基づいて、前記代表記録装置以外の他の前記記録装置に記憶された前記画像データを更新することにより、前記代表記録装置が記憶する前記画像データと、他の前記記録装置が記憶する前記画像データとの同一性を維持することを特徴とする。
この制御方法によれば、制御装置は、代表記録装置から画像データを取得し、取得した画像データに基づいて、他の記録装置の画像データを、代表記録装置の画像データとの同一性が維持されるように更新する。このため、代表記録装置についてのみ、記憶された画像データを正しい状態とすれば、接続された他の記録装置について、自動で、記憶された画像データが、代表記録装置と同一性を有する正しい状態となる。つまり、記録装置の全てについてツールを利用して画像データの編集をするといった煩雑な作業を経ることなく、代表記録装置についてのみ画像データの編集を行うという簡易な作業により、各記録装置に記憶された画像データについて、その同一性を維持できる。
【手続補正６】
【補正対象書類名】明細書
【補正対象項目名】０００９
【補正方法】変更
【補正の内容】
【０００９】
また、上記目的を達成するために、本発明は、記憶した画像データに基づいて画像を記録可能な記録装置が複数接続される制御装置を制御する制御部により実行されるプログラムであって、前記制御部を、接続される前記記録装置のうちの１つの前記記録装置である代表記録装置から、この代表記録装置に記憶された前記画像データを取得し、取得した前記画像データに基づいて、前記代表記録装置以外の他の前記記録装置に記憶された前記画像データを更新することにより、前記代表記録装置が記憶する前記画像データと、他の前記記録装置が記憶する前記画像データとの同一性を維持する画像データ更新部として機能させることを特徴とする。
このプログラムによれば、制御装置は、代表記録装置から画像データを取得し、取得した画像データに基づいて、他の記録装置の画像データを、代表記録装置の画像データとの同一性が維持されるように更新する。このため、代表記録装置についてのみ、記憶された画像データを正しい状態とすれば、接続された他の記録装置について、自動で、記憶された画像データが、代表記録装置と同一性を有する正しい状態となる。つまり、記録装置の全てについてツールを利用して画像データの編集をするといった煩雑な作業を経ることなく、代表記録装置についてのみ画像データの編集を行うという簡易な作業により、各記録装置に記憶された画像データについて、その同一性を維持できる。